(57)【要約】【課題】外出時に携帯電話で通話できるドアホンは価格が高く一般的ではなかった。また、親機と子機のドアホンが取り付けられている家庭が多く、高価な電話回線接続機能付ドアホンへの買い換えがなされず普及しなかった。【解決手段】既存の親機と子機のドアホンに、本考案の電話回線接続装置を並列に接続することで、簡単で低価格な電話回線接続機能付ドアホンを提供する。【選択図】　図１
0003098527.tif 000002
【実用新案登録請求の範囲】
【請求項１】
親機と子機で構成され、子機は親機からの電源出力と入出力の信号が重畳された接続線で接続されたドアホンにおいて、該接続線を親機と並列に接続し、該接続線をオン・オフするスイッチと、予め定めた電話番号を登録するテンキーおよびＬＣＤ表示器と、その登録された電話番号を記憶する記憶手段と、子機の呼び出しスイッチの押下を検出する検出手段と、その子機の呼び出し手段の検出により電話回線のビジー音を検出するビジー検出手段と、該記憶手段に記憶された電話番号に接続する回線接続手段と、呼び出し先が応答したことを検出する応答検出手段と、接続先との通話終了を予め定めた音声の無音時間を検出し、その検出により通話を切断する切断手段を具備したことを特徴とする電話回線接続装置。
【請求項２】
上記、請求項１の電話回線接続装置において、子機の呼び出しスイッチの押下を検出して、該記憶手段に記憶された電話番号への回線接続が、予め定められた回数を得ても、電話回線がビジーの場合に音声応答回路に切り替えることを特徴とする電話回線接続装置。
【考案の詳細な説明】
【０００１】
【考案の属する技術分野】
本考案は、不在時に呼び出しスイッチの押下を検出して、電話機と接続することにより電話と通話が可能なドアホンに関する。
【０００２】
【従来の技術】
従来から一般家庭にドアホンが普及しているが、訪問者が子機の呼び出しスイッチを押下すると住居内の親機の呼び出し音が鳴り、在宅者が親機のハンドセットをフックオフして、子機の訪問者と親機の在宅者が通話することのできるものが一般的であった。
【０００３】
しかし、近年ドアホンを留守宅の確認に使用され、ピッキングやサムターン回し等の泥棒による被害が多発しているため、ドアホンの高級機には外出の際、予め登録した電話番号に発呼し、電話機と子機間で通話を可能にした機種も販売されている。
【０００４】
【考案が解決しようとする課題】
上述のように、外出時に携帯電話で通話できるドアホンは価格が高く一般的ではなかった。また、親機と子機のドアホンが取り付けられている家庭が多く、高価な電話回線接続機能付ドアホンへの買い換えがなされず普及しなかった。
【０００５】
従って、本考案の目的は、既存の親機と子機のドアホンに、本考案の電話回線接続装置を並列に接続することで、簡単で低価格な電話回線接続機能付ドアホンを提供することを目的としている。
【０００６】
本考案の他の目的は、既存のドアホンを改良することなく電話回線接続機能を付加することで、訪問者に電話回線接続機能付ドアホンであることが分からず防犯効果の高い電話回線接続装置の提供を目的としている。
【０００７】
【問題を解決するための手段】
この目的達成のため、本考案の請求項は、親機と子機で構成され、子機は親機からの電源出力と入出力の信号が重畳された接続線で接続されたドアホンにおいて、該接続線を親機と並列に接続し、該接続線をオン・オフするスイッチと、予め定めた電話番号を登録するテンキーおよびＬＣＤ表示器と、その登録された電話番号を記憶する記憶手段と、子機の呼び出しスイッチの押下を検出する検出手段と、その子機の呼び出し手段の検出により電話回線のビジー音を検出するビジー検出手段と、該記憶手段に記憶された電話番号に接続する回線接続手段と、呼び出し先が応答したことを検出する応答検出手段と、接続先との通話終了を予め定めた音声の無音時間を検出し、その検出により通話を切断する切断手段を具備したことを特徴とする電話回線接続装置。
【０００８】
【考案の実施の形態】
考案の実施の形態を実施例に基づき図面を参照して説明する。
【０００９】
図１に示すように、本考案の電話回線接続装置２３は、親機と並列接続するための親機接続端子１６と電話回線接続端子１７と電話機接続端子１８の各接続端子を有しており、各接続端子を図２のように接続する。
【００１０】
次に、呼び出し電話番号の登録と記憶をテンキー１１とＬＣＤ表示器１０を使用して行い、ＦｌａｓｈＲＡＭ８に記憶する。その後、接続線１９ａとの接続をする動作スイッチ１３ａとＭＣＵ１に接続を感知させる１３ｂをオンにすることで待機状態となる。
【００１１】
この待機状態で子機の呼び出しスイッチを訪問者が押下すると、親機と並列に接続された接続線１９ａと１９ｂの電圧が低下する。この電圧低下を抵抗１４と抵抗１５の分電圧としてＡ／Ｄ変換器３の出力でＭＣＵ１が検出する。ＭＣＵ１は、予めＦｌａｓｈＲＡＭ８に記憶された呼び出し電話番号をＩ／Ｏ７を通しＮＣＵ６を介し発信する。発信した電話番号はＬＣＤ表示器１０で確認することができる。
【００１２】
接続が確認されると、ＮＣＵ６の中で親機との接続線１９ｃと電話回線２０が接続され、子機と呼び出した電話の通話が可能となる。
【００１３】
接続の終了は、接続線１９ｃの音声電圧をＡＭＰ５で増幅し、その増幅された音声電圧をＡ／Ｄ変換器４で変換してＭＣＵ１が検出する。ＭＣＵ１は、予め定められた時間をＲＴＣ１２でカウントし、そのカウント内に音声出力が感知されないことで、ＮＣＵ６の直流保持を断にして電話回線を開放する。
【００１４】
これらの、制御用プログラムはＦｌａｓｈＲＡＭ８に記憶されているが、ＰＲＯＭを使用しても可能である。
【００１５】
図２は、本考案の全体の接続図で、子機３０はマイク３１、スピーカ３３、呼び出しスイッチ３２、動作中表示ＬＥＤ３４等から構成され、増幅器等の基板が内蔵されている。
【００１６】
親機３６は、ハンドセット３８でマイク３９とスピーカ３７が一体化されたもので、本体内に増幅器、電源等が内蔵されている。
【００１７】
本考案の電話回線接続装置２３は、ＬＣＤ表示器１０とテンキー１１と動作設定ボタン１３とテストボタン４０が表面に配置されており、本体内に制御基板、電源回路等が内蔵されている。また、子機３０と接続線３５ａと接続線３５ｂで接続された親機３６と、接続線１９ａと接続線１９ｂで並列に接続する。電話回線は接続線２０で接続し、電話機２２は電話線２１で接続する。
【００１８】
図３は、本考案のＮＣＵ６のブロック図で、その動作について説明する。ＭＣＵ１が呼び出しスイッチ３２の出力をＡ／Ｄ変換器３の出力で感知すると、スイッチ５７ａとスイッチ５７ｂを電話機から切り替え回線を接続する。
【００１９】
次に、ビジー検出回路５６の出力を確認し、回線がビジーで無ければスイッチ５１をオンにして、ＭＦ信号発生器５２を駆動しＦｌａｓｈＲＡＭ８に記憶していた呼び出し電話番号を発信する。発信が終了したらＭＣＵ１はスイッチ５１をオフにする。
【００２０】
回線の接続は回線５８ａと回線５８ｂの極性反転を応答検出回路５５で検出する。応答検出回路５５で極性反転が検出されるとＭＣＵ１に通知される。ＭＣＵ１はスイッチ５０をオンにして、電話回線２０と親機３６との接続線１９ｃを接続する。この接続により、子機と呼び出し先の電話が通話可能となる。また、増幅器５３と増幅器５４は入出力用の音声等を増幅するためのものである。
【００２１】
上記のように、接続が確認されるまで電話回線２０と親機３６の接続線１９ｃがスイッチ５０でオフになっているため、ビジー音やＭＦ信号音が子機のスピーカから流れることがないので、電話からの通話であることが訪問者に分かることはない。
【００２２】
また、訪問者は呼び出しスイッチを押下する動作しかしないため、通話の終了動作は訪問者からは得られないので、したがって、呼び出し先の電話側が先に電話をオンフックした場合に、子機のスピーカからビジー音が流れてしまい訪問者に電話での通話が分かってしまう問題がある。
【００２３】
本考案では、接続線１９ｃの音声電圧をＡＭＰ５で増幅し、その増幅された音声電圧をＡ／Ｄ変換器４で変換してＭＣＵ１が検出する。ＭＣＵ１は、予め定められた時間をＲＴＣ１２のクロックをカウントし、そのカウント内に音声出力が感知されないことで、ＮＣＵ６の直流保持を断にして電話回線を開放する。
【００２４】
上述のように、呼び出し先の電話側は電話回線接続装置２３が電話回線を切断するので、その後に回線を切断することで問題を解決している。
【００２５】
その他、呼び出し先がビジーで回線が接続できない場合が考えられるが、本考案では、録再生スイッチ５９ａを再生側にすることで音声応答回路６０を接続線１９ｃに接続し、子機のスピーカで応答することで解決している。
【００２６】
図４は、本考案の音声応答回路のブロック図で、録再生スイッチ５９ａ、５９ｂを切り替えることで、音声応答の録音と再生ができる。録音は、テストスイッチ６１をオンにして、録再生スイッチ５９ａを録音側に切り替えると、録再生スイッチ５９ｂも同時に切り替わりＭＣＵ１が感知する。
【００２７】
録音のマイクは、親機３６のハンドセット３８を利用する。ハンドセット３８をフックオフして声を出すとマイク３９で電気信号に変換される。その変換された電気信号は、接続線１９ｃからＡＭＰ７０で増幅され、次にＡ／Ｄ変換器７１でアナログ信号からデジタル信号に変換される。
【００２８】
その変換されたデジタル信号は、ＡＤＰＣＭエンコーダ／デコーダ７４でＡＤＰＣＭ信号に変換され、ＦｌａｓｈＭｅｍｏｒｙ７５に記憶され録音が終了する。
【００２９】
確認再生は、親機３６のハンドセット３８のスピーカ３７を利用して行うことができる。テストスイッチ６１をオンにして、録再生スイッチ５９ａを再生側に切り替えると、録再生スイッチ５９ｂも同時に切り替わりＭＣＵ１が感知する。
【００３０】
ＭＣＵ１が感知すると、ＦｌａｓｈＭｅｍｏｒｙ７５に記憶された録音データをＡＤＰＣＭエンコーダ／デコーダ７４でデコードして、Ｄ／Ａ変換器７３でデジタル信号をアナログ信号に変換する。
【００３１】
変換されたアナログ信号は、ＡＭＰ７２で増幅され接続線１９ｃを通してハンドセット３８のスピーカ３７で再生を確認することができる。通常で使用する場合は、テストスイッチ６１をオフにする。
【００３２】
以上、本考案を実施例により説明したが、本考案の主旨の範囲内で種々の変形が可能であり、これらを本考案から排除するものではない。
【００３３】
【考案の効果】
以上説明したように、本考案によれば、次の効果を奏する。
【００３４】
▲１▼既存のドアホンを利用して簡単に電話又は携帯電話に接続して訪問者と通話ができる高機能ドアホンとして利用できる。
【００３５】
▲２▼既存のドアホンを利用するため、機種名で電話回線接続機能付ドアホンであることが分からず、より防犯効果を高めることができる。
【図面の簡単な説明】
【図１】本考案の実施例のブロック図である。
【図２】本考案の実施例の構成図である。
【図３】本考案のＮＣＵ６のブロック図である。
【図４】本考案の音声応答回路６０のブロック図である。
【符号の説明】
１、ＭＣＵ（マイクロコントローラ・ユニット）
２、ＲＡＭ（Ｒａｎｄｏｍ　Ａｃｃｅｓｓ　Ｍｅｍｏｒｙ）
３、Ａ／Ｄ変換器
４、Ａ／Ｄ変換器
５、ＡＭＰ（増幅器）
６、ＮＣＵ（Ｎｅｔｗｏｒｋ　Ｃｏｎｔｒｏｌ　Ｕｎｉｔ）
７、Ｉ／Ｏ（入力／出力）
８、Ｆｌａｓｈ　ＲＡＭ（Ｆｌａｓｈ　Ｒａｎｄｏｍ　Ａｃｃｅｓｓ　Ｍｅｍ
ｏｒｙ）
９、ＬＣＤドライバー
１０、ＬＣＤ（液晶表示器）
１１、テンキー
１２、ＲＴＣ（リアルタイムクロック）
１３、動作設定ボタン
１３ａ、動作スイッチ
１３ｂ、動作スイッチ
１４、抵抗
１５、抵抗
１６、親機接続端子
１７、電話回線接続端子
１８、電話機接続端子
１９ａ、接続線
１９ｂ、接続線
１９ｃ、接続線
２０、電話回線
２１、電話線
２２、電話機
２３、電話回線接続装置
３０、子機
３１、マイク
３２、呼び出しスイッチ
３３、スピーカ
３４、動作中表示ＬＥＤ
３５ａ、接続線
３５ｂ、接続線
３６、親機
３７、スピーカ
３８、ハンドセット
３９、マイク
４０、テストボタン
５０、スイッチ
５１、スイッチ
５２、ＭＦ信号発生器
５３、ＡＭＰ（増幅器）
５４、ＡＭＰ（増幅器）
５５、応答検出回路
５６、ビジー検出回路
５７ａ、スイッチ
５７ｂ、スイッチ
５８ａ、回線
５８ｂ、回線
５９ａ、録再生スイッチ
５９ｂ、録再生スイッチ
６０、音声応答回路
６１、テストスイッチ
７０、ＡＭＰ（増幅器）
７１、Ａ／Ｄ変換器
７２、ＡＭＰ（増幅器）
７３、Ｄ／Ａ変換器
７４、ＡＤＰＣＭエンコーダ／デコーダ
７５、Ｆｌａｓｈ　Ｍｅｍｏｒｙ
【図１】
0003098527.tif 000003
【図２】
0003098527.tif 000004
【図３】
0003098527.tif 000005
【図４】
0003098527.tif 000006